(57)【要約】      （修正有）【課題】流体の向きの調整時においても吹き出す流体の到達距離を長くすることが可能な流体吹出装置を提供する。【解決手段】流体吹出装置１は、流体の流通路を形成するダクト部１０と、流通路の開口部側から吹き出される流体の向きを調整するグリル部２０と、を備える。グリル部２０は、流通路を流通する流体の一部を主流として開口部側に導く主流路２１０を形成する主枠体２１および流通路を流通する流体の残りを副流として開口部側に導く副流路２３０を形成する副枠体２３を有する。また、グリル部２０は、主枠体２１に対して回動可能に支持される調整フィン２２を有する。副枠体２３は、副流路２３０から吹き出される副流の向きが主流路２１０から吹き出される主流の向きと揃うように、調整フィン２２のうち長手方向の中央部よりも主枠体２１に近い外側部位に設けられている。【選択図】図１
2019200038.tif 000002
【特許請求の範囲】
【請求項１】
流体を吹き出す流体吹出装置であって、
流体の流通路（１００）を形成するとともに、前記流通路の下流側の端部に開口部（１０１）が設けられたダクト部（１０）と、
前記流通路に収容されて前記開口部側から吹き出される流体の向きを調整するグリル部（２０）と、を備え、
前記グリル部は、前記流通路に回動可能に配置される少なくとも１枚の調整フィン（２２、２４、２６）を有するとともに、前記流通路を流通する流体の一部を副流として前記開口部側に導く副流路（２３０、２４５、２４７、２５０）が設けられており、
前記副流路は、前記副流路から吹き出される副流の向きが、前記流通路を流通する流体の向きと揃うように少なくとも１枚の前記調整フィンに併設されている流体吹出装置。
【請求項２】
前記副流路は、少なくとも前記調整フィンと前記ダクト部の内壁面との間に設けられている請求項１に記載の流体吹出装置。
【請求項３】
前記グリル部は、
前記流通路を流通する流体の一部を主流として前記開口部側に導く主流路（２１０）を形成する筒状の主枠体（２１）と、
前記副流路（２３０）を形成する少なくとも１つの副枠体（２３）と、を含んで構成されており、
前記調整フィンは、前記主枠体の内側に配置されるとともに、前記主枠体に対して回動可能に支持され、
前記調整フィンのうち前記調整フィンの長手方向の中央部よりも前記主枠体に近い部位を外側部位（２２０ａ、２２０ｂ）としたとき、
前記副枠体は、前記副流路から吹き出される副流の向きが前記主流路から吹き出される主流の向きと揃うように、前記調整フィンの前記外側部位に設けられている請求項１または２に記載の流体吹出装置。
【請求項４】
前記外側部位のうち前記調整フィンの長手方向の一方側に位置する部位を第１外側部位（２２０ａ）とし、前記調整フィンの長手方向の他方側に位置する部位を第２外側部位（２２０ａ、２２０ｂ）としたとき、
前記副枠体は、前記第１外側部位および前記第２外側部位それぞれに設けられている請求項３に記載の流体吹出装置。
【請求項５】
前記副枠体は、前記主流路の一部と前記副流路とが前記主枠体の周方向において互いに重なり合うように前記調整フィンに対して設けられている請求項３または４に記載の流体吹出装置。
【請求項６】
前記副枠体は、前記副流路の副流流れ下流側に比べて副流流れ上流側の方が前記副流路の流路断面積が大きくなるように構成されている請求項３ないし５のいずれか１つに記載の流体吹出装置。
【請求項７】
前記主枠体は、前記調整フィンの長手方向に沿って延びる一対の縦枠部（２１１、２１２）、前記調整フィンの長手方向の両端側に位置して前記一対の縦枠部の双方に連なる一対の横枠部（２１３、２１４）を含み、前記一対の縦枠部が前記ダクト部に対して回動可能に支持されている請求項３ないし６のいずれか１つに記載の流体吹出装置。
【請求項８】
前記グリル部は、前記副流路を形成する少なくとも１つの副枠体（２３、２５）を含んでおり、
前記副枠体は、前記副流路から吹き出される副流の向きが前記流通路から吹き出される主流の向きと揃うように、前記調整フィンに設けられている請求項１または２に記載の流体吹出装置。
【請求項９】
前記調整フィンは、長手方向に沿って延びる板状部（２２１）を有しており、
前記副枠体は、前記板状部の長手方向の端部に設けられている請求項３ないし８のいずれか１つに記載の流体吹出装置。
【請求項１０】
前記調整フィンは、長手方向に沿って延びる板状部（２２１）を有しており、
前記副枠体は、前記板状部の板面の両側に設けられている請求項３ないし８のいずれか１つに記載の流体吹出装置。
【請求項１１】
前記副枠体は、筒状に構成されており、
前記副流路は、前記副枠体の内側壁部によって形成されている請求項３ないし１０のいずれか１つに記載の流体吹出装置。
【請求項１２】
前記副枠体は、前記主枠体における前記調整フィンの長手方向の端部に対向する部位を含む対向壁部（２１３ａ、２１４ａ）を覆う形状を有しており、
前記副流路は、前記副枠体の内側壁部および前記対向壁部によって形成されている請求項３ないし７のいずれか１つに記載の流体吹出装置。
【請求項１３】
前記副流路は、前記調整フィンの表面に設けられた少なくとも１つの溝部（２４４）によって形成されている請求項１または２に記載の流体吹出装置。
【請求項１４】
前記副流路は、前記調整フィンに設けられた貫通穴（２４６）によって形成されている請求項１に記載の流体吹出装置。
【請求項１５】
前記ダクト部は、前記流通路に対して温度または湿度が調整された空気が流体として導入されるように、空気流れ上流側に空気の温度または湿度を調整する調整機器（ＡＣＵ）が接続される請求項１ないし１４のいずれか１つに記載の流体吹出装置。
【発明の詳細な説明】
【技術分野】
【０００１】
本開示は、流体を吹き出す流体吹出装置に関する。
【背景技術】
【０００２】
従来、自動車用レジスタとして、左右の風向を調整するためのルーバと、複数枚のフィンとで構成されるバレルを備え、バレルの両側面に送風ケースに設けられたピン穴に回動自在に挿入されるピンが設けられているものが知られている（例えば、特許文献１参照）。この自動車用レジスタは、バレル全体を上下に回動させることで、上下の風向を調整可能になっている。
【先行技術文献】
【特許文献】
【０００３】
【特許文献１】特開平７−２４７１６７号公報
【発明の概要】
【発明が解決しようとする課題】
【０００４】
ところで、自動車用レジスタ等の空気吹出装置は、例えば、前席側だけでなく後席側にも空調感を付与するために、吹き出す気流の到達距離を長くすることが望ましい場面がある。
【０００５】
しかしながら、特許文献１の如く、気流の向きを調整する機能を有する場合、気流の向きの調整時に吹き出す気流の到達距離が短くなりがちである。このような課題は、自動車用レジスタに限らず、流体を吹き出す他の流体吹出装置においても生じ得る。
【０００６】
本開示は、流体の向きの調整時においても吹き出す流体の到達距離を長くすることが可能な流体吹出装置を提供することを目的とする。
【課題を解決するための手段】
【０００７】
本発明者らは、流体吹出装置における流体の到達距離を長くするために鋭意検討した。この結果、流体吹出装置から流体が吹き出された際に、当該流体の速度勾配によって横渦が生じ、横渦による主流の拡散や、横渦によって装置外部の外部流体が流体吹出装置から吹き出した流体に引き込まれることで、流体の到達距離が短くなり易いことが判った。
【０００８】
本開示は、上記の知見に基づいて案出された発明に関するものである。すなわち、請求項１に記載の発明は、流体を吹き出す流体吹出装置であって、
流体の流通路（１００）を形成するとともに、流通路の下流側の端部に開口部（１０１）が設けられたダクト部（１０）と、
流通路に収容されて開口部側から吹き出される流体の向きを調整するグリル部（２０）と、を備え、
グリル部は、流通路に回動可能に配置される少なくとも１枚の調整フィン（２２、２４、２６）を有するとともに、流通路を流通する流体の一部を副流として開口部側に導く副流路（２３０、２４５、２４７、２５０）が設けられており、
副流路は、副流路から吹き出される副流の向きが、流通路を流通する流体の向きと揃うように少なくとも１枚の調整フィンに併設されている。
【０００９】
これによると、調整フィンに副流路が併設されているので、流体吹出装置は、副流路から吹き出される副流が、流通路を流れる主流と並走するように流れる構造となる。このような構造では、副流によって主流に形成される横渦の発達が抑えられることで、主流の拡散や装置外部の外部流体が主流に引き込まれることを抑制可能となる。加えて、調整フィンによって開口部側から吹き出す流体の向きを調整すると、副流の向きが流通路を流れる流体の向きと揃うので、開口部側から吹き出す流体の向きを調整したとしても、吹き出す流体の到達距離を長くすることができる。
【００１０】
また、請求項３に記載の発明は、グリル部が、流通路を流通する流体の一部を主流として開口部側に導く主流路（２１０）を形成する筒状の主枠体（２１）と、副流路（２３０）を形成する少なくとも１つの副枠体（２３）と、を含んで構成されている。調整フィンのうち調整フィンの長手方向の中央部よりも主枠体に近い部位を外側部位（２２０ａ、２２０ｂ）としたとき、副枠体は、副流路から吹き出される副流の向きが主流路から吹き出される主流の向きと揃うように、調整フィンの外側部位に設けられている。
【００１１】
これによると、調整フィンの外側部位に副流路を形成する副枠体が設けられているので、流体吹出装置は、副流路から吹き出される副流が、主流路から吹き出される主流のうち外側に流れるものと並走するように流れる構造になる。このような構造では、副流によって主流に形成される横渦の発達が抑えられることで、主流の拡散や装置外部の外部流体が主流に引き込まれることを抑制可能となる。加えて、開口部側から吹き出す流体の向きの調整時に、副流の向きが主流路の向きと揃うように変化する構成になっているので、開口部側から吹き出す流体の向きを調整したとしても、主流の到達距離を長くすることができる。したがって、流体の向きの調整時においても吹き出す流体の到達距離を長くすることが可能となる。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る流体吹出装置の模式的な斜視図である。
【図２】第１実施形態に係る流体吹出装置のダクト部の模式的な斜視図である。
【図３】第１実施形態に係る流体吹出装置のグリル部の模式的な斜視図である。
【図４】第１実施形態に係る流体吹出装置のグリル部の内部を示す模式的な断面図である。
【図５】図４のＶ−Ｖ断面図である。
【図６】第１実施形態に係る流体吹出装置の調整フィンの模式的な斜視図である。
【図７】図５のＶＩＩ−ＶＩＩ断面図である。
【図８】第１実施形態に係る流体吹出装置のグリル部から吹き出される主流および副流との関係を説明するための説明図である。
【図９】第１実施形態の比較例となる流体吹出装置のグリル部から吹き出された気流の状態を説明するための説明図である。
【図１０】第１実施形態に係る流体吹出装置のグリル部から吹き出された気流の状態を説明するための説明図である。
【図１１】第２実施形態に係る流体吹出装置のグリル部の内部を示す模式的な断面図である。
【図１２】第２実施形態に係る流体吹出装置の調整フィンの模式的な斜視図である。
【図１３】第３実施形態に係る流体吹出装置の模式的な斜視図である。
【図１４】第３実施形態に係る流体吹出装置のグリル部の内部を示す模式的な断面図である。
【図１５】第４実施形態に係る流体吹出装置のグリル部の内部を示す模式的な断面図である。
【図１６】第４実施形態に係る流体吹出装置の調整フィンの模式的な斜視図である。
【図１７】第５実施形態に係る流体吹出装置のグリル部の内部を示す模式的な断面図である。
【図１８】第５実施形態に係る流体吹出装置の調整フィンの模式的な斜視図である。
【図１９】第６実施形態に係る流体吹出装置の模式的な斜視図である。
【図２０】第６実施形態に係る流体吹出装置の模式的な断面図である。
【図２１】第６実施形態に係る流体吹出装置のグリル部の模式的な斜視図である。
【図２２】第６実施形態に係る流体吹出装置のグリル部から吹き出される主流および副流との関係を説明するための説明図である。
【図２３】第６実施形態に係る流体吹出装置に用いられる第１横フィンの第１変形例を示す模式的な斜視図である。
【図２４】第６実施形態に係る流体吹出装置に用いられる第１横フィンの第２変形例を示す模式的な斜視図である。
【図２５】第７実施形態に係る流体吹出装置の模式的な斜視図である。
【図２６】第７実施形態に係る流体吹出装置の模式的な断面図である。
【図２７】第８実施形態に係る流体吹出装置に用いられる第１横フィンを示す模式的な斜視図である。
【図２８】第８実施形態に係る流体吹出装置のグリル部から吹き出される主流および副流との関係を説明するための説明図である。
【図２９】第８実施形態に係る流体吹出装置に用いられる第１横フィンの変形例を示す模式的な斜視図である。
【図３０】第９実施形態に係る流体吹出装置に用いられる第１横フィンを示す模式的な斜視図である。
【図３１】第９実施形態に係る流体吹出装置に用いられる第１横フィンの変形例を示す模式的な斜視図である。
【図３２】第１０実施形態に係る流体吹出装置に用いられる第１横フィンを示す模式的な斜視図である。
【図３３】第１０実施形態に係る流体吹出装置のグリル部から吹き出される主流および副流との関係を説明するための説明図である。
【図３４】第１０実施形態に係る流体吹出装置に用いられる第１横フィンの変形例を示す模式的な斜視図である。
【図３５】第１１実施形態に係る流体吹出装置の模式的な斜視図である。
【図３６】第１１実施形態に係る流体吹出装置の変形例を示す模式的な断面図である。
【発明を実施するための形態】
【００１４】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００１５】
（第１実施形態）
本実施形態について、図１〜図１０を参照して説明する。本実施形態では、本開示の流体吹出装置１を、車室内を空調する空調ユニットＡＣＵの空気吹出装置に適用した例について説明する。空調ユニットＡＣＵは、車室内の最前部に設けられたインストルメントパネルの内側に配置される。そして、空調ユニットＡＣＵの空気吹出装置は、インストルメントパネルやその内側に設置される。
【００１６】
図１に示す流体吹出装置１は、空調ユニットＡＣＵにて温度調整された空調風を車室内へ吹き出す装置である。流体吹出装置１は、ダクト部１０、車室内へ吹き出す気流の向きを調整するためのグリル部２０を含んで構成されている。なお、図中において矢印で示すＤＲｕｄ、ＤＲｆｒ、ＤＲｗは、車両搭載時の上下方向、前後方向、左右方向を示している。
【００１７】
図１および図２に示すように、ダクト部１０は、略角筒状の筒状部材で構成されており、その内部に空調風の流通路１００が形成されている。そして、ダクト部１０には、流通路１００の下流側の端部に開口部１０１が設けられている。ダクト部１０は、その内部に形成される流通路１００のうち、開口部１０１に近接する位置にグリル部２０が収容されている。
【００１８】
ダクト部１０は、その内部の流通路１００に対して温度または湿度が調整された空気が流体として導入されるように、空調ダクトＤを介して空調ユニットＡＣＵに接続されている。本実施形態では、空調ユニットＡＣＵが、ダクト部１０に導入される空気の温度または湿度を調整する調整機器を構成している。ダクト部１０の開口部１０１は、開口の縦幅が横幅よりも小さい偏平な開口形状になっている。
【００１９】
グリル部２０は、ダクト部１０の内側の流通路１００に収容されて、開口部１０１側から吹き出す気流の向きを調整するものである。図３に示すように、グリル部２０は、主枠体２１、主枠体２１の内側において上下方向ＤＲｕｄに沿って延びる複数枚の調整フィン２２、副枠体２３を含んで構成されている。
【００２０】
主枠体２１は、流通路１００を流通する気流の一部を主流として開口部１０１側に導く主流路２１０を形成するものである。主枠体２１は、ダクト部１０の内側に収容可能な略角筒状の筒状部材で構成されている。換言すれば、主枠体２１は、ダクト部１０の内側に嵌め込むことが可能な外形状を有している。
【００２１】
具体的には、主枠体２１は、上下方向ＤＲｕｄに沿って延びる左枠部２１１および右枠部２１２と、左枠部２１１および右枠部２１２の両端側に位置して左枠部２１１および右枠部２１２の双方に連なる上枠部２１３および下枠部２１４とを含んでいる。主枠体２１は、その内側に矩形状の流路が形成されるように、上枠部２１３および下枠部２１４が左枠部２１１および右枠部２１２よりも長い寸法を有している。
【００２２】
左枠部２１１および右枠部２１２は調整フィン２２の長手方向に沿って延びている。本実施形態では、左枠部２１１および右枠部２１２が調整フィン２２の長手方向（本例では、上下方向ＤＲｕｄ）に沿って延びる一対の縦枠部を構成している。
【００２３】
上枠部２１３および下枠部２１４は調整フィン２２の長手方向の両端側に位置し、調整フィン２２の厚み方向（本例では、左右方向ＤＲｗ）に沿って延びている。本実施形態では、上枠部２１３および下枠部２１４が調整フィン２２の長手方向の両端側において左枠部２１１および右枠部２１２の双方に連なる一対の横枠部を構成している。
【００２４】
図４および図５に示すように、上枠部２１３および下枠部２１４には、調整フィン２２の長手方向の端部に対向する部位を含む対向壁部２１３ａ、２１４ａに、後述する調整フィン２２の回動ピン２２２を嵌め込むための嵌合溝２１３ｂ、２１４ｂが形成されている。
【００２５】
複数枚の調整フィン２２は、開口部１０１側から吹き出す気流の風向を調整する風向調整部材である。具体的には、グリル部２０には、５枚の調整フィン２２が配置されている。なお、グリル部２０に配置される調整フィン２２の枚数は、５枚に限定されるものではなく、５枚未満または６枚以上配置されていてもよい。すなわち、グリル部２０には、少なくとも１枚の調整フィン２２が配置されていればよい。
【００２６】
複数枚の調整フィン２２は、流通路１００に回動可能に配置されている。本実施形態の複数枚の調整フィン２２は、気流の向きを左右方向ＤＲｗに調整可能なように、長手方向の端部が主枠体２１の上枠部２１３および下枠部２１４に対して回動可能に支持されている。
【００２７】
ここで、本実施形態では、調整フィン２２のうち調整フィン２２の長手方向の中央部よりも上枠部２１３の近くに位置する部位を第１外側部位２２０ａとし、下枠部２１４の近くに位置する部位を第２外側部位２２０ｂとする。また、本実施形態では、調整フィン２２のうち主枠体２１よりも長手方向の中央部の近くに位置する部位を内側部位２２０ｃとする。
【００２８】
図６に示すように、調整フィン２２は、上下方向ＤＲｕｄに沿って延びる板状部２２１、板状部２２１の長手方向の両端部に設けられた回動ピン２２２を備えている。回動ピン２２２は、主枠体２１の嵌合溝２１３ｂ、２１４ｂに嵌め込むことが可能な大きさを有している。
【００２９】
調整フィン２２は、回動ピン２２２が主枠体２１の嵌合溝２１３ｂ、２１４ｂに嵌合されることで、図７に示すように、回動ピン２２２を中心として回動可能になっている。図示しないが、複数枚の調整フィン２２の回動ピン２２２は、互いに連動して回転するように連結部材によって連結されている。この連結部材には、図示しないアクチュエータが接続されている。このアクチュエータによって複数枚の調整フィン２２が駆動される。
【００３０】
副枠体２３は、流通路１００を流通する気流のうち、主流路２１０に流れる気流を除く残りの気流を副流として開口部１０１側に導く副流路２３０を形成するものである。
【００３１】
図５、図６に示すように、副枠体２３は、副流路２３０から吹き出される副流の向きが主流路２１０から吹き出される主流の向きと揃うように、調整フィン２２に対して一体に設けられている。すなわち、副枠体２３は、副流路２３０から吹き出される副流の向きが主流路２１０から吹き出される主流の向きと同期して変化するように構成されている。
【００３２】
副枠体２３は、筒状に構成されている。そして、副流路２３０は、副枠体２３の内側壁部２３１によって形成されている。本実施形態の副枠体２３は、副流路２３０の流路断面積が略一定となるように構成されている。
【００３３】
副枠体２３は、主流路２１０の一部と副流路２３０とが主枠体２１の周方向において互いに重なり合うように調整フィン２２に対して設けられている。すなわち、隣り合う調整フィン２２は、副枠体２３同士の間に主流路２１０の一部が形成されるように主枠体２１に対して配置されている。
【００３４】
副枠体２３は、主流路２１０における主枠体２１に近い外側領域と主枠体２１の周方向において並ぶように、調整フィン２２における第１外側部位２２０ａおよび第２外側部位２２０ｂそれぞれに対して設けられている。より具体的には、副枠体２３は、調整フィン２２を構成する板状部２２１の長手方向の両端部に設けられている。これにより、調整フィン２２とダクト部１０の内壁面との間に副流路２３０が設定される。そして、副流がダクト部１０の内壁面に沿って流れる主流と並走するように流れる。
【００３５】
次に、流体吹出装置１の作動について図８〜図１０を参照して説明する。空調ユニットＡＣＵが作動すると、空調ユニットＡＣＵで温度または湿度が調整された空調風が空調ダクトＤを介して流体吹出装置１に流入する。流体吹出装置１に流入した空調風は、ダクト部１０の流通路１００を流れた後、その一部が主流路２１０に流れ、残りが副流路２３０に流れる。そして、図８に示すように、主流路２１０および副流路２３０を流れる空調風が車室内へ吹き出される。
【００３６】
ここで、図９は、本実施形態の比較例となる流体吹出装置ＣＥから吹き出された気流の状態を説明するための説明図である。比較例となる流体吹出装置ＣＥは、グリル部２０に対して副流路２３０が設けられていない点が本実施形態の流体吹出装置１と異なっている。なお、説明が理解し易くなるように、図９では、比較例となる流体吹出装置ＣＥにおける本実施形態の流体吹出装置１と同じ機能を発揮する部材に対して本実施形態の流体吹出装置１と同一の参照符号を付している。
【００３７】
図９に示すように、比較例となる流体吹出装置ＣＥでは、主流路２１０から主流が吹き出されると、主流路２１０の出口下流において、主流路２１０からの気流とその周囲で静止した空気との速度差に起因して無数の横渦Ｖｔが発生する。この横渦Ｖｔによって主流が拡散されるとともに、装置外部で静止した空気（すなわち、外部流体）が主流に引き込まれることで、主流の到達距離が短くなる。そして、横渦Ｖｔ同士が合成されるとより大きな横渦Ｖｔに発達するため、主流の到達距離がさらに短くなる。また、主流に対して装置外部で静止した空気が引き込まれると、主流の温度または湿度が変化する。このため、適切な温度または湿度に調整された気流が所望の空間に到達し難くなる。なお、横渦は、渦の中心軸である渦軸が主流の流れ方向に略直交する渦である。
【００３８】
これに対して、本実施形態の流体吹出装置１は、図１０に示すように、主流路２１０から吹き出される主流とともに、副流路２３０から吹き出される副流が、主流路２１０の外側領域から吹き出される主流と並走するように流れる。
【００３９】
これによると、主流に形成される横渦Ｖｔが副流によって乱され、横渦Ｖｔの発達が抑えられる。これにより、主流の拡散や装置外部で静止した空気（すなわち、外部流体）が主流に引き込まれることが抑制されるので、主流の到達距離を長くすることができる。また、横渦Ｖｔの発達が抑制されると、主流に対して装置外部で静止した空気が引き込まれ難くなるので、適切な温度または湿度に調整された気流が所望の空間に到達し易くなる。
【００４０】
また、本実施形態の流体吹出装置１は、副流路２３０が調整フィン２２に対して設けられた副枠体２３によって形成されており、副流路２３０から吹き出される副流の向きと主流路２１０から吹き出される主流の向きとが同期して変化する。
【００４１】
以上説明した流体吹出装置１は、副流路２３０から吹き出される副流が、主流路２１０から吹き出される主流のうち外側に流れるものと並走するように流れる構造になっている。このような構造では、副流によって主流に形成される横渦Ｖｔの発達が抑えられることで、主流の拡散や装置外部の外部流体が主流に引き込まれることを抑制可能となる。この結果、主流の到達距離を長くすることができる。
【００４２】
加えて、流体吹出装置１は、開口部１０１側から吹き出す気流の向きの調整時に、副流の向きが主流の向きと揃うように変化する構成になっている。これによると、開口部１０１側から吹き出す流体の向きを調整したとしても、副流によって主流の周囲に生ずる横渦Ｖｔの発達を抑えることができるので、主流の到達距離を長くすることができる。
【００４３】
特に、流体吹出装置１は、調整フィン２２の長手方向の両側に副流路２３０を形成する副枠体２３が設けられている。これによると、主流における調整フィン２２の両側付近に形成される横渦Ｖｔの発達を抑えることができる。
【００４４】
具体的には、副枠体２３は、主流路２１０の一部と副流路２３０とが主枠体２１の周方向において互いに重なり合うように調整フィン２２に対して設けられている。これによると、副流路２３０から吹き出される副流が、主流路２１０から吹き出される主流のうち外側に流れるものと並走するように流れ易くなるので、主流における外側付近に形成される横渦の発達をより一層抑えることができる。
【００４５】
また、副枠体２３は、調整フィン２２の板状部２２１の長手方向の端部に設けられている。これにより、副流路２３０から吹き出される副流が、主流路２１０から吹き出される主流のうち外側に流れるものと並走するように流れ易くなるので、主流における調整フィン２２の両側付近に形成される横渦Ｖｔの発達をより一層抑えることができる。
【００４６】
さらに、副枠体２３は、筒状に構成されており、副流路２３０が副枠体２３の内側壁部２３１によって形成されている。このように、筒状の副枠体２３の内側壁部２３１によって副流路２３０を形成すれば、主流路２１０を有する流体吹出装置１に対して、簡易に副流路２３０を追加することができる。
【００４７】
（第２実施形態）
次に、第２実施形態について、図１１、図１２を参照して説明する。本実施形態では、副流路２３０の流路形状が第１実施形態と相違している。本実施形態では、第１実施形態と異なる部分について主に説明し、第１実施形態と同様の部分について説明を省略することがある。
【００４８】
ダクト部１０内側の流通路１００は、壁面損失によって壁面付近の気流の流速が、壁面から離れた位置に比べて小さくなる傾向がある。このため、単に、流通路１００を形成する壁面に近接する調整フィン２２の各外側部位２２０ａ、２２０ｂに副枠体２３を設けると、副流路２３０を流れる流体の流量が充分でなくなることが懸念される。
【００４９】
そこで、副枠体２３は、図１１および図１２に示すように、副流路２３０の空気流れ下流側に比べて副流流れ上流側の方が副流路２３０の流路断面積が大きくなるように構成されている。
【００５０】
具体的には、副枠体２３は、副流流れ上流側の端部の開口の上下寸法Ｌ１が副流流れ下流側の端部の開口の上下寸法Ｌ２に比べて大きくなっている。換言すれば、副枠体２３は、調整フィン２２の板状部２２１の長手方向における寸法が、副流流れ下流側に比べて上流側の方が大きくなっている。
【００５１】
その他の構成は、第１実施形態と同様である。本実施形態の流体吹出装置１は、第１実施形態と共通の構成を備えている。このため、第１実施形態の構成で奏される作用効果を第１実施形態と同様に得ることができる。このことは、以降の実施形態においても同様である。
【００５２】
特に、本実施形態の流体吹出装置１は、副流流れ下流側に比べて上流側の方が副流路２３０の流路断面積が大きくなっている。これによると、流通路１００から副流路２３０に気流が流れ易くなるので、副流路２３０に流れる気流の流量を充分に確保することができる。この結果、副流によって主流に形成される横渦Ｖｔの発達を充分に抑制することができる。
【００５３】
（第２実施形態の変形例）
上述の第２実施形態では、副枠体２３における板状部２２１の長手方向における寸法を副流流れの上流側と下流側とで変更することで、副流路２３０における流路断面積を変化させる例について説明したが、これに限定されない。
【００５４】
副枠体２３は、例えば、板状部２２１の長手方向に直交する方向の寸法を副流流れの上流側と下流側とで変更することで、副流路２３０における流路断面積を変化させる構成になっていてもよい。但し、隣り合う調整フィン２２に設けられた副枠体２３同士が近づきすぎると、隣り合う副流路２３０から吹き出される副流が互いに干渉してしまう虞がある。このため、隣り合う調整フィン２２に設けられた副枠体２３同士が近づきすぎないように調整フィン２２の間隔を設定することが望ましい。
【００５５】
（第３実施形態）
次に、第３実施形態について、図１３、図１４を参照して説明する。本実施形態では、グリル部２０が気流の向きを左右方向ＤＲｗだけでなく上下方向ＤＲｕｄにも調整可能に構成されている点が第１実施形態と相違している。本実施形態では、第１実施形態と異なる部分について主に説明し、第１実施形態と同様の部分について説明を省略することがある。
【００５６】
グリル部２０は、主枠体２１がダクト部１０に対して回動可能に支持されている。すなわち、主枠体２１は、調整フィン２２の長手方向に沿って延びる左枠部２１１および右枠部２１２がダクト部１０に対して回動可能に支持されている。
【００５７】
具体的には、左枠部２１１および右枠部２１２には、ダクト部１０側に向かって突き出る回動ピン２１１ａ、２１２ａが設けられている。そして、ダクト部１０には、左枠部２１１および右枠部２１２に対向する一対の側壁部１１、１２に主枠体２１の回動ピン２１１ａ、２１２ａを嵌め込むための嵌合部１１１、１２１が形成されている。
【００５８】
主枠体２１は、回動ピン２１１ａ、２１２ａがダクト部１０の嵌合部１１１、１２１に嵌合されることで、図１４に示すように、回動ピン２１１ａ、２１２ａを中心として回動可能になっている。
【００５９】
その他の構成は、第１実施形態と同様である。本実施形態の流体吹出装置１は、グリル部２０の主枠体２１がダクト部１０に対して回動可能に支持されている。これによると、調整フィン２２の回動による気流の向きの調整に加えて、主枠体２１をダクト部１０に対して回動させることで気流の向きを調整することができるので、開口部１０１側から吹き出す気流の向きの調整の自由度を向上させることができる。
【００６０】
（第４実施形態）
次に、第４実施形態について、図１５、図１６を参照して説明する。本実施形態では、副枠体２３が設けられている位置が第１実施形態と相違している。本実施形態では、第１実施形態と異なる部分について主に説明し、第１実施形態と同様の部分について説明を省略することがある。
【００６１】
図１５および図１６に示すように、副枠体２３は、筒状に構成されており、板状部２２１の板面の両側に設けられている。具体的には、副枠体２３は、調整フィン２２の第１外側部位２２０ａおよび第２外側部位２２０ｂを構成する板状部２２１の板面の両側に設けられている。
【００６２】
その他の構成は、第１実施形態と同様である。本実施形態の流体吹出装置１は、副枠体２３が調整フィン２２の板状部２２１の板面の両側に設けられている。これによると、副流路２３０から吹き出される副流が、主流路２１０から吹き出される主流のうち外側に流れるものと並走するように流れ易くなるので、主流における外側付近に形成される横渦Ｖｔの発達をより一層抑えることができる。
【００６３】
（第４実施形態の変形例）
上述の第４実施形態では、副枠体２３が板状部２２１の板面の両側に当接した状態で配置される例について説明したが、これに限定されない。隣り合う調整フィン２２に設けられた副枠体２３同士が近づきすぎると、隣り合う副流路２３０から吹き出される副流が互いに干渉してしまう虞がある。このため、例えば、副枠体２３が板状部２２１の板面から離間するように、副枠体２３と板状部２２１とが連結部を介して接続される構成になっていてもよい。
【００６４】
（第５実施形態）
次に、第５実施形態について、図１７、図１８を参照して説明する。本実施形態では、副枠体２３の形状が第１実施形態と相違している。本実施形態では、第１実施形態と異なる部分について主に説明し、第１実施形態と同様の部分について説明を省略することがある。
【００６５】
図１７、図１８に示すように、副枠体２３は、主枠体２１における調整フィン２２の長手方向の端部に対向する部位を含む対向壁部２１３ａ、２１４ａを覆う形状を有している。そして、副流路２３０は、副枠体２３の内側壁部２３１および主枠体２１の対向壁部２１３ａ、２１４ａによって形成されている。具体的には、副枠体２３は、Ｌ字形状を有し、板状部２２１の板面の両側に設けられている。
【００６６】
その他の構成は、第１実施形態と同様である。本実施形態の流体吹出装置１は、副流路２３０が副枠体２３の内側壁部２３１および主枠体２１の対向壁部２１３ａ、２１４ａによって形成されている。これによると、副流路２３０から吹き出される副流が、主流路２１０から吹き出される主流のうち外側に流れるものと並走するように流れ易くなるので、主流における外側付近に形成される横渦Ｖｔの発達をより一層抑えることができる。
【００６７】
（第５実施形態の変形例）
第５実施形態では、副枠体２３が板状部２２１の板面の両側に設けられている例について説明したが、これに限定されない。副枠体２３は、板状部２２１の端部または板状部２２１の板面の片側に設けられていてもよい。また、副枠体２３は、Ｌ字形状のものに限らず、例えば、直線状に延びる形状や円弧状に湾曲した形状になっていてもよい。
【００６８】
（第６実施形態）
次に、第６実施形態について、図１９〜図２２を参照して説明する。本実施形態では、グリル部２０が横フィン２４および縦フィン２６を含んで構成されている点が第１実施形態と相違している。本実施形態では、第１実施形態と異なる部分について主に説明し、第１実施形態と同様の部分について説明を省略することがある。
【００６９】
図１９および図２０に示すように、グリル部２０は、ダクト部１０の内側において左右方向ＤＲｗに沿って延びる複数枚の横フィン２４、上下方向ＤＲｕｄに沿って延びる複数枚の縦フィン２６、複数の副枠体２５を含んで構成されている。本実施形態では、横フィン２４および縦フィン２６が開口部１０１側から吹き出す気流の向きを調整する調整フィンを構成している。
【００７０】
横フィン２４は、開口部１０１側から吹き出す気流の向きを上下に変化させるものである。横フィン２４は、ダクト部１０の内側のうち、開口部１０１に近接する位置に配置されている。
【００７１】
本実施形態のグリル部２０は、３枚の横フィン２４を有している。３枚の横フィン２４は、ダクト部１０の左壁部１０２および右壁部１０３に対して回動可能に支持されている。なお、横フィン２４の数は、３枚に限定されるものではなく、３枚未満または４枚以上配置されていてもよい。すなわち、グリル部２０には、少なくとも１枚の横フィン２４が配置されていればよい。
【００７２】
３枚の横フィン２４は、ダクト部１０の上壁部１０４に対向する第１横フィン２４１、ダクト部１０の下壁部１０５に対向する第２横フィン２４２、第１横フィン２４１と第２横フィン２４２との間に配置される第３横フィン２４３で構成されている。各横フィン２４１、２４２、２４３は、各横フィン２４１、２４２、２４３の長手方向（本例では左右方向ＤＲｗ）の端部がダクト部１０の左壁部１０２および右壁部１０３に対して回動可能に支持されている。
【００７３】
各横フィン２４１、２４２、２４３は、左右方向ＤＲｗに沿って延びる平板状の板状部２４１ａ、２４２ａ、２４３ａ、および当該板状部２４１ａ、２４２ａ、２４３ａの長手方向の端部に設けられた回動ピン２４１ｂ、２４２ｂ、２４３ｂを備えている。図示しないが、回動ピン２４１ｂ、２４２ｂ、２４３ｂは、ダクト部１０の左壁部１０２および右壁部１０３に形成された嵌合溝に嵌め込むことが可能な大きさになっている。また、各横フィン２４１、２４２、２４３は、互いに連動して姿勢が変化するように連結部材によって連結されている。この連結部材には、図示しないアクチュエータが接続されている。このアクチュエータによって各横フィン２４１、２４２、２４３が駆動される。
【００７４】
縦フィン２６は、開口部１０１側から吹き出す気流の向きを左右に変化させるものである。縦フィン２６は、横フィン２４と干渉しないように、ダクト部１０の内側のうち、横フィン２４の上流側となる位置に配置されている。
【００７５】
本実施形態のグリル部２０には、少なくとも１枚の縦フィン２６が配置されている。縦フィン２６は、長手方向（本例では上下方向ＤＲｕｄ）の端部がダクト部１０の上壁部１０４および下壁部１０５に対して回動可能に支持されている。
【００７６】
縦フィン２６は、上下方向ＤＲｕｄに沿って延びる平板状の板状部２６１、および当該板状部２６１の長手方向の端部に設けられた回動ピン２６２を備えている。図示しないが、回動ピン２６２は、ダクト部１０の上壁部１０４および下壁部１０５に形成された嵌合溝に嵌め込むことが可能な大きさになっている。縦フィン２６には、図示しないアクチュエータが接続されている。このアクチュエータによって縦フィン２６が駆動される。
【００７７】
ここで、グリル部２０は、横フィン２４および縦フィン２６が、それぞれ別個に回動可能になっている。これにより、開口部１０１側から吹き出す気流の向きを自由に調整することが可能になっている。
【００７８】
副枠体２５は、流通路１００を流通する気流の一部を副流として開口部１０１側に導く副流路２５０を形成するものである。副枠体２５は、筒状に構成されている。そして、副流路２５０は、副枠体２５の内壁面によって形成されている。本実施形態の副枠体２５は、副流路２５０の流路断面積が略一定となるように構成されている。
【００７９】
副枠体２５は、副流路２５０から吹き出される副流の向きが流通路１００から吹き出される主流の向きと揃うように、横フィン２４に対して設けられている。本実施形態では、副枠体２５が、第１横フィン２４１の上面および第２横フィン２４２の下面に対して複数設けられている。副枠体２５が第１横フィン２４１の上面および第２横フィン２４２の下面に設けられることで、ダクト部１０の内壁面と第１横フィン２４１との間、およびダクト部１０の内壁面と第２横フィン２４２との間に副流路２５０が形成される。
【００８０】
具体的には、第１横フィン２４１には、その上面に対して複数の副枠体２５が一定の間隔をあけて左右方向ＤＲｗに並んで設けられている。複数の副枠体２５は、第１横フィン２４１の上面において、前後方向ＤＲｆｒに沿って延びる形態で設けられている。
【００８１】
また、第２横フィン２４２には、その下面に対して複数の副枠体２５が一定の間隔をあけて左右方向ＤＲｗに並んで設けられている。複数の副枠体２５は、第２横フィン２４２の下面において、前後方向ＤＲｆｒに沿って延びる形態で設けられている。なお、第３横フィン２４３には、副枠体２５が設けられていない。
【００８２】
複数の副枠体２５同士の間隔は、副枠体２５の左右方向ＤＲｗの幅寸法よりも大きくなっている。これにより、副枠体２５の内側に形成される副流路２５０は、隣り合う副枠体２５の間に形成される主流が通過する流路よりも流路断面積が充分小さくなっている。
【００８３】
このように構成される流体吹出装置１は、空調ユニットＡＣＵが作動すると、空調ユニットＡＣＵで温度または湿度が調整された空調風が空調ダクトを介して流体吹出装置１に流入する。流体吹出装置１に流入した空調風は、ダクト部１０の流通路１００を流れるとともに、その一部が副流路２５０に流れる。そして、図２０に示すように、流通路１００および副流路２５０を流れる空調風が車室内へ吹き出される。
【００８４】
この際、副流路２５０から吹き出される副流は、図２１および図２２に示すように、第１横フィン２４１と上壁部１０４との間に形成される流路、並びに、第２横フィン２４２と下壁部１０５との間に形成される流路を流れる主流と並走するように流れる。
【００８５】
これによると、主流の周囲に形成される横渦が副流によって乱され、横渦の発達が抑えられる。これにより、主流の拡散や装置外部で静止した空気（すなわち、外部流体）が主流に引き込まれることが抑制されるので、主流の到達距離を長くすることができる。また、横渦の発達が抑制されると、主流に対して装置外部で静止した空気が引き込まれ難くなるので、適切な温度または湿度に調整された気流が所望の空間に到達し易くなる。
【００８６】
以上説明した流体吹出装置１は、副流路２５０から吹き出される副流が、流通路１００から吹き出される主流のうち外側に流れるものと並走するように流れる構造になっている。このような構造では、副流によって主流に形成される横渦の発達が抑えられることで、主流の拡散や装置外部の外部流体が主流に引き込まれることを抑制可能となる。この結果、主流の到達距離を長くすることができる。
【００８７】
また、流体吹出装置１は、副流路２５０が、少なくとも横フィン２４とダクト部１０の内壁面との間に設けられている。これによると、副流がダクト部１０の内壁面に沿って流れる主流と並走するように流れるので、副流によって主流に形成される横渦の発達が抑えられる。
【００８８】
ここで、ダクト部１０の開口部１０１は、開口の縦幅が横幅よりも小さい偏平な開口形状になっている。このような横長の開口部１０１に縦フィン２６が並んでいると、縦フィン２６が際立ってしまう。
【００８９】
これに対して、流体吹出装置１は、縦フィン２６が、外部から見え難くなるように、ダクト部１０の内側のうち横フィン２４の上流側となる位置に配置されている。これによれば、調整フィンによるグリル部２０の意匠性への影響を抑制できる。
【００９０】
また、調整フィンが横フィン２４および縦フィン２６で構成されているものでは、気流の向きを調整する際に、調整フィンが開口部１０１から外側に向けて飛び出すことがない。このため、グリル部２０の意匠性への影響を抑制できる。
【００９１】
（第６実施形態の第１変形例）
上述の第６実施形態では、第１横フィン２４１に設けられる副枠体２５が筒状に構成されるものを例示したが、これに限定されない。副枠体２５は、例えば、図２３に示すように、第１横フィン２４１の板面に垂直に立設される一組の側板部２５１、２５２を有して構成されていてもよい。この場合、副流路２５０は、第１横フィン２４１の板面、一組の側板部２５１、２５２、ダクト部１０の内壁によって囲まれる空間によって形成される。この際、複数の副枠体２５は、空気流れ方向に沿った長さが、一定でなくてもよい。なお、図示しないが、第２横フィン２４２に設けられる副枠体２５についても、一組の側板部２５１、２５２を有して構成されていてもよい。
【００９２】
（第６実施形態の第２変形例）
また、第１横フィン２４１に設けられる副枠体２５は、空気流れ上流側と下流側とで異なる形状になっていてもよい。副枠体２５は、例えば、図２４に示すように、空気流れ上流側が一組の側板部２５１、２５２で構成され、空気流れ下流側が筒体２５３で構成されていてもよい。これによると、副流路２５０における空気流れ上流側の間口が大きくなり、流通路１００から副流路２３０に気流が流れ易くなるので、副流路２５０に流れる気流の流量を充分に確保することができる。この結果、副流によって主流に形成される横渦Ｖｔの発達を充分に抑制することができる。なお、図示しないが、第２横フィン２４２に設けられる副枠体２５についても、一組の側板部２５１、２５２、筒体２５３で構成されていてもよい。
【００９３】
（第６実施形態の他の変形例）
副枠体２５は、四角筒に限らず、例えば、丸筒や三角筒で構成されていてもよい。複数の副枠体２５同士の間隔は、一定でなくてもよい。複数の副枠体２５は、異なる形状や大きさとなるものが含まれていてもよい。
【００９４】
上述の第６実施形態では、第１横フィン２４１および第２横フィン２４２それぞれに副枠体２５が設けられているものを例示したが、これに限定されない。副枠体２５は、第１横フィン２４１および第２横フィン２４２の一方に設けられていてもよい。このことは、以降の実施形態においても同様である。
【００９５】
（第７実施形態）
次に、第７実施形態について、図２５、図２６を参照して説明する。本実施形態では、横フィン２４および縦フィン２６の位置が第６実施形態と相違している。本実施形態では、第６実施形態と異なる部分について主に説明し、第６実施形態と同様の部分について説明を省略することがある。
【００９６】
図２５および図２６に示すように、本実施形態のグリル部２０は、第６実施形態に対して、前後方向ＤＲｆｒにおける横フィン２４の位置と縦フィン２６の位置とが逆転している。すなわち、縦フィン２６が、ダクト部１０の内側のうち、開口部１０１に近接する位置に配置されている。そして、横フィン２４がダクト部１０の内側のうち縦フィン２６の上流側となる位置に配置されている。
【００９７】
その他の構成は、第６実施形態と同様である。本実施形態の流体吹出装置１は、副流路２５０から吹き出される副流が、流通路１００から吹き出される主流のうち外側に流れるものと並走するように流れる構造になっている。このため、本実施形態の流体吹出装置１は、第６実施形態で説明した作用効果を第６実施形態と同様に得ることができる。
【００９８】
（第８実施形態）
次に、第８実施形態について、図２７、図２８を参照して説明する。本実施形態では、横フィン２４の両面に副枠体２５が設けられている点が第６実施形態と相違している。本実施形態では、第６実施形態と異なる部分について主に説明し、第６実施形態と同様の部分について説明を省略することがある。
【００９９】
図２７および図２８に示すように、副枠体２５は、第１横フィン２４１の両面に対して複数設けられている。副枠体２５が第１横フィン２４１の両面に設けられることで、ダクト部１０の内壁面と第１横フィン２４１との間だけでなく、第１横フィン２４１と第３横フィン２４３との間にも副流路２５０が形成される。
【０１００】
また、副枠体２５は、第２横フィン２４２の両面に対して複数設けられている。また、副枠体２５が第２横フィン２４２の両面に設けられることで、ダクト部１０の内壁面と第２横フィン２４２との間だけでなく、第２横フィン２４２と第３横フィン２４３との間にも副流路２５０が形成される。
【０１０１】
具体的には、第１横フィン２４１および第２横フィン２４２には、その両面に対して複数の副枠体２５が一定の間隔をあけて左右方向ＤＲｗに並んで設けられている。また、第１横フィン２４１および第２横フィン２４２には、上面に設けられた副枠体２５と下面に設けられた副枠体２５とが上下方向ＤＲｕｄに並ぶように設けられている。
【０１０２】
また、副枠体２５は、第６実施形態の第１変形例と同様に構成されている。なお、副枠体２５は、第６実施形態の第１変形例と異なるもの（例えば、筒状の枠体）で構成されていてもよい。
【０１０３】
その他の構成は、第６実施形態と同様である。本実施形態の流体吹出装置１は、副流路２５０から吹き出される副流が、流通路１００から吹き出される主流のうち外側に流れるものと並走するように流れる構造になっている。このため、本実施形態の流体吹出装置１は、第６実施形態で説明した作用効果を第６実施形態と同様に得ることができる。
【０１０４】
特に、本実施形態の如く、第１横フィン２４１および第２横フィン２４２の両面に副流路２５０が設けられていれば、気流の向きの調整時に、副流が主流と並走して流れ易くなるので、副流によって主流に形成される横渦の発達を充分に抑えることができる。
【０１０５】
（第８実施形態の変形例）
上述の第８実施形態では、第１横フィン２４１および第２横フィン２４２の両面に設けられた副枠体２５が上下方向ＤＲｕｄに並ぶように設けられているものを例示したが、これに限定されない。第１横フィン２４１は、例えば、図２９に示すように、上面に設けられた副枠体２５と下面に設けられた副枠体２５とが上下方向ＤＲｕｄに並ばないように設けられていてもよい。また、第１横フィン２４１は、複数の副枠体２５が異なる間隔をあけて左右方向ＤＲｗに並んで設けられていてもよい。これらのことは、第２横フィン２４２についても同様である。
【０１０６】
（第９実施形態）
次に、第９実施形態について、図３０を参照して説明する。本実施形態では、横フィン２４の表面に対して副流路２４５が形成されている点が第６実施形態と相違している。本実施形態では、第６実施形態と異なる部分について主に説明し、第６実施形態と同様の部分について説明を省略することがある。
【０１０７】
図３０に示すように、第１横フィン２４１の上面に対して前後方向ＤＲｆｒに沿って延びる複数の溝部２４４が形成されている。具体的には、第１横フィン２４１の上面には、凹形状の複数の溝部２４４が一定の間隔をあけて左右方向ＤＲｗに並んで設けられている。この複数の溝部２４４は、流通路１００を流通する気流の一部を副流として開口部１０１側に導く副流路２４５を形成する。すなわち、第１横フィン２４１の上面に形成された複数の溝部２４４によってダクト部１０の内壁面と第１横フィン２４１との間に副流路２４５が形成される。本実施形態の複数の溝部２４４は、前後方向ＤＲｆｒの長さが異なる長さになっている溝部が含まれている。なお、複数の溝部２４４は、前後方向ＤＲｆｒの長さが同じ長さになっていてもよい。
【０１０８】
また、図示しないが、第２横フィン２４２の下面に対して前後方向ＤＲｆｒに沿って延びる複数の溝部２４４が形成されている。具体的には、第２横フィン２４２の上面には、複数の溝部２４４が一定の間隔をあけて左右方向ＤＲｗに並んで設けられている。第２横フィン２４２の下面に形成された複数の溝部２４４によってダクト部１０の内壁面と第２横フィン２４２との間に副流路２４５が形成される。
【０１０９】
その他の構成は、第６実施形態と同様である。本実施形態の流体吹出装置１は、副流路２５０から吹き出される副流が、流通路１００から吹き出される主流のうち外側に流れるものと並走するように流れる構造になっている。このため、本実施形態の流体吹出装置１は、第６実施形態で説明した作用効果を第６実施形態と同様に得ることができる。
【０１１０】
特に、本実施形態の如く、副流路２４５を第１横フィン２４１および第２横フィン２４２の一面に形成した複数の溝部２４４で構成すれば、各横フィン２４１、２４２に副枠体２５を設ける構成に比べてフィン全体の厚みを薄くすることができる。また、副流路２４５を形成するための専用の部材を追加する必要がないので、グリル部２０の簡素化を図ることができる。
【０１１１】
（第９実施形態の変形例）
上述の第９実施形態では、第１横フィン２４１の上面および第２横フィン２４２の下面に対して複数の溝部２４４が形成されているものを例示したが、これに限定されない。図３１に示すように、第１横フィン２４１の両面に対して複数の溝部２４４が形成されていてもよい。この際、第１横フィン２４１の両面の複数の溝部２４４は、左右方向ＤＲｗにおいて異なる位置に形成されていることが望ましい。第１横フィン２４１の強度低下を抑制することができるからである。
【０１１２】
また、第１横フィン２４１には、複数の溝部２４４が異なる間隔をあけて左右方向ＤＲｗに並んで設けられていてもよい。また、複数の溝部２４４の形状は、四角形状に限らず、例えば、円弧、三角形状等になっていてもよい。これらのことは、第２横フィン２４２についても同様である。
【０１１３】
（第１０実施形態）
次に、第１０実施形態について、図３２、図３３を参照して説明する。本実施形態では、横フィン２４に対して副流路２４７が形成されている点が第６実施形態と相違している。本実施形態では、第６実施形態と異なる部分について主に説明し、第６実施形態と同様の部分について説明を省略することがある。
【０１１４】
図３２および図３３に示すように、第１横フィン２４１には、板面に沿って延びる複数の貫通穴２４６が形成されている。具体的には、第１横フィン２４１には、複数の貫通穴２４６が一定の間隔をあけて左右方向ＤＲｗに並んで設けられている。この複数の貫通穴２４６は、流通路１００を流通する気流の一部を副流として開口部１０１側に導く副流路２４７を形成する。すなわち、第１横フィン２４１の上面に形成された複数の貫通穴２４６によってダクト部１０の内壁面と第１横フィン２４１との間に副流路２４７が形成される。本実施形態の複数の貫通穴２４６は、その断面が丸形状に限らず、四角形状や三角形状になっていてもよい。
【０１１５】
また、図示しないが、第２横フィン２４２にも、板面に沿って延びる複数の貫通穴２４６が形成されている。具体的には、第２横フィン２４２には、複数の貫通穴２４６が一定の間隔をあけて左右方向ＤＲｗに並んで設けられている。第２横フィン２４２に形成された複数の貫通穴２４６によってダクト部１０の内壁面と第２横フィン２４２との間に副流路２４７が形成される。
【０１１６】
その他の構成は、第６実施形態と同様である。本実施形態の流体吹出装置１は、副流路２５０から吹き出される副流が、流通路１００から吹き出される主流のうち外側に流れるものと並走するように流れる構造になっている。このため、第６実施形態で説明した作用効果を第６実施形態と同様に得ることができる。
【０１１７】
特に、本実施形態の如く、副流路２４７を第１横フィン２４１および第２横フィン２４２に形成した複数の貫通穴２４６で構成すれば、溝部２４４で副流路２４７を形成する場合に比べて、副流を安定して流すことができる。また、副流路２４７を形成する部材を追加する必要がないので、グリル部２０の簡素化を図ることができる。
【０１１８】
（第１０実施形態の変形例）
上述の第１０実施形態では、第１横フィン２４１の板状部２４１ａおよび第２横フィン２４２の板状部２４２ａに対して複数の貫通穴２４６が形成されているものを例示したが、これに限定されない。例えば、図３４に示すように、第１横フィン２４１の板状部２４１ａの開口部１０１側の端部に交差壁部２４１ｃが設けられている場合、当該交差壁部２４１ｃに対して複数の貫通穴２４６が形成されていてもよい。この場合、複数の貫通穴２４６によって副流路２４７が形成される。このことは、第２横フィン２４２においても同様である。なお、交差壁部２４１ｃは、板状部２４１ａの開口部１０１側の端部に板状部２４１ａの板面に交差する方向に延びている。
【０１１９】
また、第１横フィン２４１には、複数の貫通穴２４６が異なる間隔をあけて左右方向ＤＲｗに並んで設けられていてもよい。また、複数の貫通穴２４６の形状は、円形状に限らず、例えば、三角形状、四角形状、長穴形状等になっていてもよい。これらのことは、第２横フィン２４２についても同様である。これらのことは、第２横フィン２４２についても同様である。
【０１２０】
（第１１実施形態）
次に、第１１実施形態について、図３５を参照して説明する。本実施形態では、縦フィン２６に対して副流路２５０が併設されている点が第６実施形態と相違している。本実施形態では、第６実施形態と異なる部分について主に説明し、第６実施形態と同様の部分について説明を省略することがある。
【０１２１】
副枠体２５は、横フィン２４ではなく、縦フィン２６に設けられている。すなわち、図３５に示すように、副枠体２５は、副流路２５０から吹き出される副流の向きが流通路１００から吹き出される主流の向きと揃うように、縦フィン２６に対して設けられている。副枠体２５は、筒状に構成されており、副枠体２５の内壁面によって副流路２５０が形成されている。そして、副枠体２５は、縦フィン２６を構成する板状部２６１の長手方向の両端部に設けられている。
【０１２２】
このように構成される流体吹出装置１は、空調ユニットＡＣＵが作動すると、空調ユニットＡＣＵで温度または湿度が調整された空調風が空調ダクトを介して流体吹出装置１に流入する。流体吹出装置１に流入した空調風は、ダクト部１０の流通路１００を流れるとともに、その一部が副流路２５０に流れる。そして、流通路１００および副流路２５０を流れる空調風が車室内へ吹き出される。この際、副流路２５０から吹き出される副流は、主流と並走するように流れることで、主流の周囲に形成される横渦の発達が抑制される。
【０１２３】
以上説明した流体吹出装置１は、副流路２５０から吹き出される副流が、流通路１００から吹き出される主流のうち外側に流れるものと並走するように流れる構造になっている。このような構造では、副流によって主流に形成される横渦の発達が抑えられる。これにより、主流の拡散や装置外部の外部流体が主流に引き込まれることが抑制されるので、主流の到達距離を長くすることができる。
【０１２４】
（第１１実施形態の変形例）
上述の第１１実施形態では、縦フィン２６がダクト部１０の内側のうち横フィン２４の上流側となる位置に配置されているものを例示したが、これに限定されない。グリル部２０は、例えば、図３６に示すように、縦フィン２６が、ダクト部１０の内側のうち、開口部１０１に近接する位置に配置されていてもよい。すなわち、横フィン２４がダクト部１０の内側のうち縦フィン２６の上流側となる位置に配置されていてもよい。これによっても、副流路２５０から吹き出される副流が、流通路１００から吹き出される主流のうち外側に流れるものと並走するように流れる。このため、第１１実施形態で説明した作用効果を第１１実施形態と同様に得ることができる。
【０１２５】
上述の第１１実施形態では、副枠体２５が筒状に構成されてもの例示したが、これに限定されない。副枠体２５は、筒状以外の形状で構成されていてもよい。また、副流路２５０は、縦フィン２６に対して設けられる溝や貫通穴によって形成されていてもよい。
【０１２６】
（他の実施形態）
以上、本開示の代表的な実施形態について説明したが、本開示は、上述の実施形態に限定されることなく、例えば、以下のように種々変形可能である。
【０１２７】
上述の第１〜第５実施形態では、調整フィン２２における第１外側部位２２０ａおよび第２外側部位２２０ｂそれぞれに対して副枠体２３が設けられている構成を例示したが、これに限定されない。副枠体２３は、例えば、隣り合う調整フィン２２において、一方の調整フィン２２の第１外側部位２２０ａに設けられ、他方の調整フィン２２の第２外側部位２２０ｂに設けられていてもよい。
【０１２８】
上述の第１〜第５実施形態では、主流路２１０の一部と副流路２３０とが主枠体２１の周方向において互いに重なり合うように副枠体２３が調整フィン２２に設けられているものを例示したが、これに限定されない。副枠体２３は、副流路２３０が主流路２１０の外側に形成されるように、主枠体２１の内壁面と対向するように調整フィン２２に設けられていてもよい。
【０１２９】
上述の第１〜第５実施形態では、主枠体２１として上枠部２１３および下枠部２１４が左枠部２１１および右枠部２１２よりも長い寸法を有するものを例示したが、これに限定されない。主枠体２１は、例えば、上枠部２１３および下枠部２１４が左枠部２１１および右枠部２１２と同等の寸法または左枠部２１１および右枠部２１２より短い寸法になっていてもよい。また、主枠体２１は、ダクト部１０の内側に収容可能であれば、略角筒状の筒状部材に限らず略円筒状の筒状部材で構成されていてもよい。
【０１３０】
上述の第１〜第５実施形態では、気流の向きを左右方向ＤＲｗに調整可能なように、調整フィン２２の長手方向の端部が主枠体２１の上枠部２１３および下枠部２１４に対して回動可能に支持されるものを例示したが、これに限定されない。調整フィン２２は、例えば、気流の向きを上下方向ＤＲｕｄに調整可能なように、主枠体２１の左枠部２１１および下枠部２１４に対して回動可能に支持されていてもよい。この場合、主枠体２１のうち上枠部２１３および下枠部２１４をダクト部１０に対して回動可能に支持する構成とすることで、気流の向きを左右方向ＤＲｗにも調整することができる。
【０１３１】
また、上述の第１実施形態では、複数枚の調整フィン２２それぞれが主枠体２１に対して回動可能に支持されているものを例示したが、これに限定されない。複数枚の調整フィン２２は、例えば、主枠体２１の内側を左右方向ＤＲｗに横断する支持軸に対して回動可能に支持されていてよい。
【０１３２】
上述の実施形態では、ダクト部１０に導入される空気の温度または湿度を調整する調整機器として空調ユニットＡＣＵを例示したが、これに限定されない。調整機器は、例えば、車室内の全体または一部を加湿する加湿器や車室内の全体または一部を除湿する除湿器で構成されていてもよい。
【０１３３】
上述の実施形態では、車室内を空調する空調ユニットＡＣＵの空気吹出装置に本開示の流体吹出装置１を適用する例について説明したが、これに限定されない。本開示の流体吹出装置１は、空調ユニットＡＣＵの空気吹出装置以外の空気吹出装置に適用可能である。また、本開示の流体吹出装置１は、空気以外の気体または液体を吹き出す装置にも適用可能である。
【０１３４】
上述の実施形態において、実施形態を構成する要素は、特に必須であると明示した場合および原理的に明らかに必須であると考えられる場合等を除き、必ずしも必須のものではないことは言うまでもない。
【０１３５】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０１３６】
上述の実施形態において、構成要素等の形状、位置関係等に言及するときは、特に明示した場合および原理的に特定の形状、位置関係等に限定される場合等を除き、その形状、位置関係等に限定されない。
【０１３７】
（まとめ）
上述の実施形態の一部または全部で示された流体吹出装置は、流体の流通路を形成するとともに、流通路の下流側の端部に開口部が設けられたダクト部と、流通路に収容されて開口部側から吹き出される流体の向きを調整するグリル部と、を備える。グリル部は、流通路に回動可能に配置される少なくとも１枚の調整フィンを有するとともに、流通路を流通する流体の一部を副流として開口部側に導く副流路が設けられている。副流路は、副流路から吹き出される副流の向きが、流通路を流通する流体の向きと揃うように少なくとも１枚の調整フィンに併設されている。
【０１３８】
第２の観点によれば、副流路は、少なくとも調整フィンとダクト部の内壁面との間に設けられている。これによると、副流がダクト部の内壁面に沿って流れる主流と並走するように流れるので、副流によって主流に形成される横渦の発達が抑えられる。なお、例えば、ダクト部の内側に主流路を形成する主枠体が配置される場合、副流は、主枠体の内壁面に沿って流れる主流と並走するように流れる。
【０１３９】
第３の観点によれば、グリル部は、流通路を流通する流体の一部を主流として前記開口部側に導く主流路を形成する筒状の主枠体と、副流路を形成する少なくとも１つの副枠体と、を含んで構成されている。調整フィンは、主枠体の内側に配置されるとともに、主枠体に対して回動可能に支持されている。副枠体は、副流路から吹き出される副流の向きが前記主流路から吹き出される主流の向きと揃うように、調整フィンの外側部位に設けられている。
【０１４０】
第４の観点によれば、流体吹出装置の副枠体は、外側部位のうち調整フィンの長手方向の一方側に位置する第１外側部位、および調整フィンの長手方向の他方側に位置する第２外側部位それぞれに設けられている。これによると、調整フィンの長手方向の両側に副流路を形成する副枠体が設けられているので、主流における調整フィンの両側付近に形成される横渦の発達を抑えることができる。
【０１４１】
第５の観点によれば、流体吹出装置の副枠体は、主流路の一部と副流路とが主枠体の周方向において互いに重なり合うように調整フィンに対して設けられている。これによると、副流路から吹き出される副流が、主流路から吹き出される主流のうち外側に流れるものと並走するように流れ易くなるので、主流における外側付近に形成される横渦の発達をより一層抑えることができる。
【０１４２】
第６の観点によれば、流体吹出装置の副枠体は、副流路の副流流れ下流側に比べて副流流れ上流側の方が副流路の流路断面積が大きくなるように構成されている。
【０１４３】
流通路では、壁面損失によって壁面付近の流体の流速が、壁面から離れた位置に比べて小さくなる傾向がある。このため、単に、流通路を形成する壁面に近接する調整フィンの外側部位に副流路を形成する副枠体を設けると、副流路を流れる流体の流量が充分でなくなることが懸念される。
【０１４４】
これに対して、副流流れ下流側に比べて上流側の方が副流路の流路断面積が大きくなる構造とすれば、流通路から副流路に流体が流れ易くなるので、副流路を流れる流体の流量を充分に確保することができる。
【０１４５】
第７の観点によれば、流体吹出装置の主枠体は、調整フィンの長手方向に沿って延びる一対の縦枠部、調整フィンの長手方向の両端側に位置して一対の縦枠部の双方に連なる一対の横枠部を含んでいる。そして、主枠体は、一対の縦枠部がダクト部に対して回動可能に支持されている。
【０１４６】
第８の観点によれば、グリル部は、副流路を形成する少なくとも１つの副枠体を含んでいる。副枠体は、副流路から吹き出される副流の向きが流通路から吹き出される主流の向きと揃うように、調整フィンに設けられている。これによると、調整フィンに設けた副枠体によって副流路を形成すれば、流通路を流れる主流と副流とを並走させることができる。
【０１４７】
これによると、調整フィンの回動による流体の向きの調整に加えて、主枠体をダクト部に対して回動させることで流体の向きを調整することができるので、開口部側から吹き出す流体の向きの調整の自由度を向上させることができる。
【０１４８】
第９の観点によれば、流体吹出装置の調整フィンは、長手方向に沿って延びる板状部を有している。そして、副枠体は、板状部の長手方向の端部に設けられている。これによっても、副流路から吹き出される副流が、主流路から吹き出される主流のうち外側に流れるものと並走するように流れ易くなるので、主流における調整フィンの外側付近に形成される横渦の発達をより一層抑えることができる。
【０１４９】
第１０の観点によれば、流体吹出装置の調整フィンは、長手方向に沿って延びる板状部を有している。そして、副枠体は、板状部の板面の両側に設けられている。これによっても、副流路から吹き出される副流が、主流路から吹き出される主流のうち外側に流れるものと並走するように流れ易くなるので、主流における外側付近に形成される横渦の発達をより一層抑えることができる。
【０１５０】
第１１の観点によれば、流体吹出装置の副枠体は、筒状に構成されている。そして、副流路は、副枠体の内側壁部によって形成されている。このように、副枠体の内側壁部によって副流路を形成すれば、主流路を有する流体吹出装置に対して、簡易に副流路を追加することができる。
【０１５１】
第１２の観点によれば、流体吹出装置の副枠体は、主枠体における調整フィンの長手方向の端部に対向する部位を含む対向壁部を覆う形状を有している。そして、副流路は、副枠体の内側壁部および対向壁部によって形成されている。このように、副枠体の内側壁部と主枠体の対向壁部によって副流路を形成すれば、主流路を有する流体吹出装置に対して、簡易に副流路を追加することができる。
【０１５２】
第１３の観点によれば、副流路は、調整フィンの表面に設けられた少なくとも１つの溝部によって形成されている。これによると、副流路を形成するための部材を追加する必要がないので、グリル部の簡素化を図ることできる。
【０１５３】
第１４の観点によれば、副流路は、調整フィンに設けられた貫通穴によって形成されている。これによると、副流路を形成するための部材を追加する必要がないので、グリル部の簡素化を図ることできる。
【０１５４】
第１５の観点によれば、流体吹出装置のダクト部は、流通路に対して温度または湿度が調整された空気が流体として導入されるように、空気流れ上流側に空気の温度または湿度を調整する調整機器が接続される。
【０１５５】
前述したように、本開示の流体吹出装置では、副流によって装置外部の外部流体の主流への引き込み作用が低減される。このため、空気の温度または湿度を調整する調整機器の空気吹出装置に本開示の流体吹出装置を適用すれば、調整機器にて調整された空気の温度または湿度が、装置外部の温度や湿度が調整されていない空気によって変化することが抑制される。換言すれば、本開示の流体吹出装置によれば、調整機器にて温度または湿度が調整された空気を温度または湿度が維持された状態で所望の空間に到達させ易くなる。
【符号の説明】
【０１５６】
１        流体吹出装置
１０      ダクト部
１００    流通路
１０１    開口部
２０      グリル部
２１      主枠体
２１０    主流路
２２      調整フィン
２３      副枠体
２３０    副流路
【図１】
2019200038.tif 000003
【図２】
2019200038.tif 000004
【図３】
2019200038.tif 000005
【図４】
2019200038.tif 000006
【図５】
2019200038.tif 000007
【図６】
2019200038.tif 000008
【図７】
2019200038.tif 000009
【図８】
2019200038.tif 000010
【図９】
2019200038.tif 000011
【図１０】
2019200038.tif 000012
【図１１】
2019200038.tif 000013
【図１２】
2019200038.tif 000014
【図１３】
2019200038.tif 000015
【図１４】
2019200038.tif 000016
【図１５】
2019200038.tif 000017
【図１６】
2019200038.tif 000018
【図１７】
2019200038.tif 000019
【図１８】
2019200038.tif 000020
【図１９】
2019200038.tif 000021
【図２０】
2019200038.tif 000022
【図２１】
2019200038.tif 000023
【図２２】
2019200038.tif 000024
【図２３】
2019200038.tif 000025
【図２４】
2019200038.tif 000026
【図２５】
2019200038.tif 000027
【図２６】
2019200038.tif 000028
【図２７】
2019200038.tif 000029
【図２８】
2019200038.tif 000030
【図２９】
2019200038.tif 000031
【図３０】
2019200038.tif 000032
【図３１】
2019200038.tif 000033
【図３２】
2019200038.tif 000034
【図３３】
2019200038.tif 000035
【図３４】
2019200038.tif 000036
【図３５】
2019200038.tif 000037
【図３６】
2019200038.tif 000038